(57)【要約】【課題】カセットヒューズブロックやカセットリレーブロックの取付部を設けた電気接続箱において、安全性および取付作業性等を高める。【解決手段】電気接続箱のケース本体にカセットブロック装填用の中空部を上下貫通して設け、該カセットブロック装填用の中空部を囲む周壁の背面側に電源供給用バスバーを配置し、該カセットブロック装填用の中空部に下側開口から挿入して装填するカセットブロックを装填できるようにしている。【選択図】図６
2012213276.tif 000002
【特許請求の範囲】
【請求項１】
電気接続箱のケース本体にカセットブロック装填用の中空部を上下貫通して設け、該カセットブロック装填用の中空部を囲む周壁のうちの一方側周壁の背面に電源供給用バスバーをケース本体に固定していると共に、前記一方側周壁と対向する他方側周壁の背面に絶縁樹脂材からなる荷重付加板部を固定する一方、
前記カセットブロック装填用の中空部に下側開口から挿入して装填するカセットヒューズブロックまたはカセットリレーブロックからなるカセットブロックを設け、該カセットブロックのハウジングの上部にヒューズ収容部またはリレー収容部を設けると共に、該ハウジング内部に中継用バスバーを固定し、該中継用バスバーは長手方向の一端から前記電源供給用バスバーに設けた端子と嵌合接続する端子部を上向きに突設すると共に、他端から前記荷重付加板部と嵌合する端子部を上向きに突設し、中間位置からヒューズ収容部またはリレー収容部内に突出する端子部を上向きに突設していることを特徴とする電気接続箱。
【請求項２】
前記ケース本体に収容固定する電源供給用バスバーは縦バスバーとし、該縦バスバーの垂直方向の帯部の下端から音叉状の端子部を突設する一方、前記カセットブロック内の中継用バスバーも縦バスバーとし、その長手方向の一端上面から音叉状の端子部を突設して前記ケース本体側の縦バスバーの端子部と嵌合させ、２接点接続としている請求項１に記載の電気接続箱。
【請求項３】
前記ケース本体に設ける荷重負荷板部は、樹脂成形品からなるケース本体の上壁の下面から下向きに垂下してケース本体と一体的に設けている請求項１または請求項２に記載の電気接続箱。
【発明の詳細な説明】
【技術分野】
【０００１】
本発明は電気接続箱に関し、詳しくは、自動車に搭載してワイヤハーネスと接続する電気接続箱で、必要に応じてカセットヒューズブロックやカセットリレーブロックを付設できるものである。
【背景技術】
【０００２】
従来、自動車に搭載する電気接続箱には多数のヒューズやリレーの収容部が設けられ、電気接続箱内に配置したバスバー等の回路材や電気接続箱に接続する電線とヒューズ、リレーを接続している。前記ヒューズ、リレーの搭載個数は、同一電気接続箱を用いても車両グレードによって相違するが、ハイグレード仕様に合わせてヒューズ収容部、リレー収容部が設けられている。すなわち、ローグレード仕様の場合もハイグレード仕様の電気接続箱を用いるため、コストアップの問題が生じる。
【０００３】
前記した問題に対して、電気接続箱をローグレード仕様で設けてコスト低下を図り、ハイグレード仕様とする場合には電気接続箱にカセットヒューズやカセットリレーを装着して対応する電気接続箱を本出願人は提案している。
【０００４】
例えば、特開２００２−３１５１５６号公報では、図９に示すように、電気接続箱１００のハウジングにヒューズ収容部１０１、リレー収容部１０２が設けられていると共にカバー板１０３を設け、該カバー板１０３に電源接続用バスバー１０５を取り付け、該電源接続用バスバー１０５に中継用バスバー１０６を取り付け、該中継用バスバー１０６に設けた端子１０６ａをカセット式ヒューズまたはリレーと接続するものとしている。
前記中継用バスバー１０６は電源接続用バスバー１０５に対して上方から装着し、中継用バスバー１０６に下向きに設けた音叉端子部１０６ｂを縦バスバーの電源接続用バスバー１０５に上から嵌合接続し、該中継用バスバー１０６に上向きに設けた前記端子１０６ａを上方から装着するカセット式ヒューズまたはリレーに接続している。
【先行技術文献】
【特許文献】
【０００５】
【特許文献１】特開２００２−３１５１５６号公報
【発明の概要】
【発明が解決しようとする課題】
【０００６】
前記特許文献１の構造であると、中継用バスバー１０６を電気接続箱のハウジングの上方から電源接続用バスバー１０５に差し込み接続する必要がある。其のため、電源接続用バスバー１０５は上方開口に露出する形態となり好ましい形態ではない。また、電源接続用バスバー１０５に中継用バスバー１０６を上方から差し込み接続するため、電気接続箱にワイヤハーネスを接続した後に中継用バスバー１０６を電源接続用バスバーに接続する作業はワイヤハーネスの電線群が邪魔をして作業性が悪くなる問題がある。さらに、電源接続用バスバー１０５に接続するヒューズやリレーに応じてそれぞれ中継用バスバー１０６を取り付ける必要があり、部品点数が増加すると共に作業手数がかかる。さらに、電源接続用バスバー１０５に端子を嵌合して接続した中継用バスバー１０６の端子とヒューズまたはリレー端子とを嵌合接続するため、該端子嵌合時の荷重付加で中継用バスバー１０６に変形が生じる恐れがあり、安定した電気接続にならない恐れがある。
【０００７】
本発明は前記問題に鑑みてなされたもので、電気接続箱にカセット式のヒューズやリレーを取り付けることで電気接続箱自体はローグレード仕様とし、電気接続箱にかかるコストを低下する場合において、カセットヒューズブロックやカセットリレーブロックに接続する電源用バスバーを外部に露出させない等、前記問題を解消することを課題としている。
【課題を解決するための手段】
【０００８】
前記課題を解決するため、本発明は、電気接続箱のケース本体にカセットブロック装填用の中空部を上下貫通して設け、該カセットブロック装填用の中空部を囲む周壁のうちの一方側周壁の背面に電源供給用のバスバーをケース本体に固定していると共に、前記一方側周壁と対向する他方側周壁の背面に絶縁樹脂材からなる荷重付加板部を固定する一方、
前記カセットブロック装填用の中空部に下側開口から挿入して装填するカセットヒューズブロックまたはカセットリレーブロックからなるカセットブロックを設け、該カセットブロックのハウジングの上部にヒューズ収容部またはリレー収容部を設けると共に、該ハウジング内部に中継用バスバーを固定し、該中継用バスバーは長手方向の一端から前記電源供給用のバスバーに設けた端子と嵌合接続する端子部を上向きに突設すると共に、他端から前記荷重付加板部と嵌合する端子部を上向きに突設し、中間位置からヒューズ収容部またはリレー収容部内に突出する端子部を上向きに突設していることを特徴とする電気接続箱を提供している。
【０００９】
前記のように、本発明では、ケース本体に設けたカセットブロック装填用の中空部に下方からカセットヒューズブロックまたはカセットリレーブロックからなるカセットブロックを装着する構成としているため、ケース本体に収容する電源回路材のバスバーはカセットブロック装填用の中空部を囲む周壁の背面側に位置させている。このように、バスバーを外部に露出させないため安全性を高めることができる。
また、カセットブロック内に固定する中継用バスバーに電源接続用の端子部を突設すると共に、対向位置に負荷を均等とするための端子部を設けているため、該中継用バスバーに変形を発生させない。かつ、該中継用バスバーにカセットブロックのヒューズまたはリレーの端子と接続する複数の端子部を間隔をあけて突設しているため、ヒューズ毎（またはリレー毎）に中継用バスバーを取り付ける必要はなく、部品点数および作業手数の削減を図ることができる。
【００１０】
前記ケース本体に収容固定する電源供給用のバスバーは縦バスバーとし、該縦バスバーの垂直方向の帯部の下端から音叉状の端子部を突設する一方、前記カセットブロック内の中継用バスバーも縦バスバーとし、その長手方向の一端上面から音叉状の端子部を突設して前記ケース本体側の縦バスバーの端子部と嵌合させ、２接点接続とすることが好ましい。
【００１１】
前記ケース本体に設ける荷重負荷板部は、樹脂成形品からなるケース本体の上壁の下面から下向きに垂下してケース本体と一体的に設けることが好ましい。なお、ケース本体と別体の樹脂板部を設けて、ケース本体内に固定し、該樹脂板部を前記荷重負荷板部としてもよい。
【発明の効果】
【００１２】
前記のように、本発明のカセットヒューズブロックやカセットリレーブロックからなるカセットブロックを電気接続箱のケース本体に上下貫通して設けた中空状のカセットブロック装填部に下方から挿着するため、ケース本体側に予め設けておく電源供給用バスバーを外部に露出させずに遮蔽しておくことができ、安全性を高めることができる。
また、該カセットブロック内の中継用バスバーをケース本体側の電源供給用のバスバーと嵌合する時に同時に他端側を荷重付加板部と嵌合させるため、中継用バスバーに荷重を均等に与えることができ、該中継用バスバーに変形を発生させない等の種々の利点を有するものである。
【図面の簡単な説明】
【００１３】
【図１】本発明の実施形態の電気接続箱を示し、（Ａ）は電気接続箱にカセットブロックを装填してない状態の斜視図、（Ｂ）はカセットブロックを装填した状態の斜視図である。
【図２】電気接続箱のケース本体を示し、（Ａ）はケース本体の長手方向の断面図、（Ｂ）は（Ａ）のＢ−Ｂ線断面図、（Ｃ）はケース本体内に固定する電源供給用バスバーの斜視図である。
【図３】カセットヒューズブロックの斜視図である。
【図４】カセットヒューズブロックのハウジングを示し、（Ａ）は斜視図、（Ｂ）は断面図である。
【図５】カセットヒューズブロック内に収容する中継用バスバーを示し、（Ａ）は斜視図、（Ｂ）は正面図である。
【図６】（Ａ）〜（Ｃ）はカセットヒューズブロックをケース本体に装填する状態を示す説明図である。
【図７】電源供給用バスバーと中継用バスバーの接続状態を示す斜視図である。
【図８】ヒューズ収容部にヒューズと中継用バスバーと電線端末端子とを接続する方法を示す図面である。
【図９】（Ａ）（Ｂ）は従来例を示す図面である。
【発明を実施するための形態】
【００１４】
以下、本発明の実施形態を図面を参照して説明する。
実施形態の電気接続箱は自動車に配索するワイヤハーネスに接続して、自動車内部に搭載するものである。
前記電気接続箱１の樹脂成形品からなるケース本体２に、カセットブロック３を下方から挿入して装着する矩形状の中空部からなるカセットブロック装填部４を上下貫通して設けている。前記カセットブロック３はカセットヒューズブロックとしているが、カセットリレーブロック、ヒューズとリレーの両方を備えたブロックでもよい。
【００１５】
図２に示すように、前記ケース本体２の上壁２ａにカセットブロック装填部４の上側開口４ａが位置し、該上側開口４ａを囲む４辺より周壁４ｂ、４ｃ、４ｄ、４ｅを下向きに突設して設け、これら周壁４ｂ〜４ｅの下端に下側開口４ｆを設けている。
【００１６】
前記カセットブロック装填部４の短辺側で対向する左右両側の周壁４ｂ、４ｃの一方の周壁４ｂの背面側に帯状の縦バスバーからなる電源供給用バスバー５をケース本体２の内部に固定している。該電源供給用バスバー５はケース本体２内に収容している電源回路のバスバー（図示せず）と接続または一体的に設け、電源回路を形成するものである。該電源供給用バスバー５は周壁４ｂの全長に沿った上側部５ａと、該上側部５ａの中央から下方へ突設した音叉状の端子部５ｂを設けた略Ｔ形状としている。
【００１７】
前記カセットブロック装填部４にカセットブロック３を装填した時、該カセットブロック３内において長手方向に沿って装填している中継用バスバー１０の一端側に突設した音叉状の端子部１０ａと前記電源供給用バスバー５の音叉状の端子部５ｂとを嵌合接続するものとしている。
【００１８】
前記周壁４ｂと対向する他方の周壁４ｃの背面側には、上壁２ａの下面から荷重付加板部６を下向きに突設している。よって、該荷重付加板部６は絶縁性樹脂からなる。該荷重付加板部６はカセットブロック３の中継用バスバー１０の他端側の音叉状の端子部１０ｂと嵌合するようにし、該中継用バスバー１０の一端側と前記電源供給用バスバー５との嵌合時に一端側に付加される荷重との均等化を図るものである。
【００１９】
前記カセットブロック３は図３〜図５に示す形状で、ハウジング１１は両側下部１１ａ、１１ｂに挟まれた中央部に段状に上部１１ｃを設け、該段状上部１１ｃの上面からヒューズ３０を差し込むヒューズ収容部１２を並列に突設している。前記両側下部１１ａ、１１ｂの上面に前記中継用バスバー１０の両側に設けた端子部１０ａ、１０ｂをそれぞれ上向きに突出させる開口１１ｄ、１１ｅを設けている。
【００２０】
図６に示すように、カセットブロック３はケース本体２のカセットブロック装填部４に下側開口より挿入して組みつけるものとしている。組みつけ状態で段状の上部１１ｃの上面がケース本体２の上壁２ａと同一面を形成し、ヒューズ収容部１２が上壁２ａより突出している。該カセットブロック３のハウジング１１の両側下部１１ａ、１１ｂはケース本体２の周壁４ｂ、４ｃの下部で且つ背面側に位置している。
【００２１】
カセットブロック３の並列した各ヒューズ収容部１２は電源側キャビテイ１２ａと負荷側キャビテイ１２ｂを備え、各ヒューズ収容部１２に上方からヒューズ３０をプラグインし、下方から電線４０の端末に接続したメス端子４１を各ヒューズ収容部１２の負荷側キャビテイ１２ｂに嵌合し、上方から装着するヒューズ３０のヒューズ端子３１の負荷側タブ３１ａと前記電線４０の端末のメス端子４１を嵌合できるようにしている。
また、各電源側キャビテイ１２ａ内に前記中継用バスバー１０に上向きに突設して並設した音叉状の電源側タブ１０ｃをそれぞれ挿入し、前記ヒューズ端子３１の電源側タブ３１ｂと嵌合接続している。
【００２２】
前記のように、カセットブロック３のハウジング１１内に装着する中継用バスバー１０は図５に示すように、縦バスバーであり、下側に連続帯部１０ｕを備え、長手方向の一端側の上側にケース本体２に固定している電源供給用バスバー５と嵌合する前記端子部１０ａを設け、他端側の上側に前記荷重付加板部６と嵌合する端子部１０ｂを設け、その間の中間部にヒューズ端子３１と嵌合する複数の電源側タブ１０ｃを並設している。
前記両側の端子部１０ａと１０ｂは中央のヒューズと接続する電源側タブ１０ｃより一段低く設けている。
【００２３】
なお、前記カセットブロック３のハウジング１１の外面とケース本体２のカセットブロック装填部４を囲む周壁４ｂ〜４ｅの内面に、図示していないが、互いにロック結合するロック部と被ロック部を設けている。  
【００２４】
次に、電気接続箱１にカセットブロック３を取り付ける工程について説明する。
図６に示すように、電気接続箱１のケース本体２内には電源回路となる縦バスバーからなる電源供給用バスバー５は予め固定されている。また、カセットブロック３ではハウジング１１内に中継用バスバー１０を収容固定し、ヒューズ収容部１２の電源側キャビテイ１２ａに電源側タブ１０ｃをそれぞれ上向きに収容し、かつ、ハウジング１１の両側下部に設けた開口１１ｅ、１１ｄから端子部１０ａ、１０ｂを突出させている。
【００２５】
電気接続箱１のカセットブロック装填部４の下側開口４ｆからカセットブロック３を挿入し、ヒューズ収容部１２をケース本体２の上壁２ａより突出した状態で装填し、カセットブロック３とケース本体２とをロック結合する。
【００２６】
前記のように、カセットブロック３をカセットブロック装填部４に装填すると、カセットブロック３内に収容している中継用バスバー１０の一端側の上向き端子部１０ａがケース本体２内に固定している電源供給用バスバー５の下向きの端子部５ｂと嵌合接続する。その際、互いに嵌合する上向きの端子部１０ａと下向きの端子部５ｂとの両方を音叉状の端子としていることで、端子部１０ａと端子部５ｂが直交した状態で嵌合し、各端子部１０ａ、５ｂの接点部１０ａ−ｐ、５ｂ−ｐが相手方端子に当接して２接点接続がなされ、電源回路の電気接続信頼性を高めることができる。
かつ、該端子部１０ａが上側の端子部５ｂと嵌合接続することで中継用バスバー１０の一端側に下向き荷重が付加される。
【００２７】
一方、中継用バスバー１０の他端側の上向き端子部１０ｂはケース本体２と一体的に設けて突設したタブ形状の荷重付加板部６と嵌合し、中継用バスバー１０の他端側に下向き荷重が付加される。これにより、中継用バスバー１０の前記一端側に付加される荷重と均等とすることで、中継用バスバー１０の下部は水平に保持され、上部中央に突設したヒューズ用の電源側タブ１０ｃがヒューズ収容部１２内で斜め変形するのを確実に防止している。
【００２８】
前記カセットブロック３に対して、電線４０の先端に接続したメス端子４１を各ヒューズ収容部１２の負荷側キャビテイ１２ｂに下方から嵌合接続する。これにより、各ヒューズ収容部の負荷側キャビテイ１２ｂに電線端末のメス端子４１が装着され、電源側キャビテイ１２ａに電源側タブ１０ｃが装着される。
【００２９】
ついで、ヒューズ収容部１２に上方からヒューズ３０を差し込み接続する。該ヒューズ３０のヒューズ端子３１のタブ状の電源側タブ３１ｂは音叉状の前記電源側タブ１０ｃと嵌合し、タブ状の負荷側タブ３１ａは電線端末のメス端子４１と嵌合する。これにより、ケース本体２内の電源回路と電線とはそれぞれヒューズ３０を介して電気接続される。
【００３０】
前記構成からなるカセットヒューズ装着部を設けた電気接続箱では、電気接続箱のケース本体２内に収容する電源供給用バスバー５はカセットブロック装填部４の周壁４ｂの背面側に配置しているため、カセットブロック３が未装着であっても、開口となるカセットブロック装填部４に露出せず、安全性を確保できる。
また、カセットブロック３はケース本体２に対して、上方からではなく、下方から装着できるため、ケース本体２に他のワイヤハーネスを接続した後も、これらワイヤハーネスと干渉することなくカセットブロック３を取り付けることができる。
さらに、カセットブロック３の中継用バスバー１０の一端側をケース本体２の電源供給用バスバー５と嵌合した時に、他端側に荷重付加板部を嵌合しているため、中継用バスバー１０には長さ方向に均等に荷重を付加して中継用バスバー１０に傾斜が発生するのを防止できる。その結果ヒューズ収容部に収容する電源側タブに変形を発生させないため、ヒューズ３０との嵌合を容易にできる等の種々の利点を有するものである。
【００３１】
本発明は前記実施形態に限定されず、カセットヒューズに代えてカセットリレーを用いる場合も同様に構成することができる。また、電気接続箱に設けるカセットブロック装填部は１カ所に限定されず、複数箇所に設けてもよい。
【符号の説明】
【００３２】
１ 電気接続箱
２  ケース本体
３  カセットブロック
４  カセットブロック装填部
４ｂ〜４ｅ  周壁
５  電源供給用バスバー
６  荷重付加板部
１０  中継用バスバー
１１  ハウジング
１２  ヒューズ収容部
【図１】
2012213276.tif 000003
【図２】
2012213276.tif 000004
【図３】
2012213276.tif 000005
【図４】
2012213276.tif 000006
【図５】
2012213276.tif 000007
【図６】
2012213276.tif 000008
【図７】
2012213276.tif 000009
【図８】
2012213276.tif 000010
【図９】
2012213276.tif 000011